(57)【特許請求の範囲】
【請求項１】
プレキャスト床版本体から橋軸方向に張り出す上部継ぎ手鉄筋と下部継ぎ手鉄筋とを上下に間隔をおいて配置すると共に橋軸直角方向に間隔をおいて多数備えたプレキャスト床版において、前記上部継ぎ手鉄筋における張り出し側の基端部における床版本体の橋軸方向端部の上部床版端面が、下部継ぎ手鉄筋における張り出し側基端部における床版本体の橋軸方向端部の下部床版端面よりも、橋軸方向の中央部寄りに変位するように設けられて、前記上部床版端面と下部床版端面との間に橋軸直角方向に連続する段部が設けられ、前記各多数の上部継ぎ手鉄筋の基端部と、プレキャスト床版における橋軸方向の前記段部とにより、橋軸直角方向に連続する補強鉄筋用の仮置き収容溝が形成されていることを特徴とする橋軸直角方向の補強鉄筋仮置き収容溝付きのプレキャスト床版。
【請求項２】
前記段部は、前記の上部継ぎ手鉄筋の基端側下面に間隔をおいて対向するように、傾斜した上面又は平坦な上面を備えた段部とされ、前記の傾斜した上面又は平坦な上面における一端側が、前記の下部床版端面に接続し、前記の傾斜した上面又は平坦な上面における他端側が、前記の上部床版端面に接続していることを特徴とする請求項１に記載の橋軸直角方向の補強鉄筋仮置き収容溝付きのプレキャスト床版。
【請求項３】
請求項１又は請求項２の橋軸直角方向の補強鉄筋仮置き収容溝付きのプレキャスト床版における仮置き収容溝に、橋軸直角方向の１本又は複数の補強鉄筋が配置されて、前記の上部継ぎ手鉄筋に設けられた仮吊具により仮保持されていることを特徴とする橋軸直角方向の補強鉄筋を仮保持したプレキャスト床版。
【請求項４】
請求項３の橋軸直角方向の補強鉄筋を仮保持したプレキャスト床版を、橋軸直角方向に間隔をおいた桁間に渡って配置すると共に、橋軸方向に隣り合う一方の前記プレキャスト床版に仮保持した橋軸直角方向の１本又は複数の補強鉄筋を、上部継ぎ手鉄筋側又は下部継ぎ手鉄筋側の何れか一方の側に展開して補強鉄筋と継ぎ手鉄筋を結束し、他方の前記プレキャスト床版に仮保持した橋軸直角方向の１本又は複数の補強鉄筋を、上部継ぎ手鉄筋側又は下部継ぎ手鉄筋側の何れか他方の側に展開して補強鉄筋と継ぎ手鉄筋を結束することを特徴とするプレキャスト床版の架設方法。
【発明の詳細な説明】
【技術分野】
【０００１】
本発明は、プレキャスト床版及びその架設方法に関する。
【背景技術】
【０００２】
従来、図１７（ａ）（ｂ）に示すように、プレキャストコンクリート床版本体２０からループ状鉄筋又はループ帯状鋼板２１の両端部を突出するように予め埋め込み配置し、プレキャストコンクリート床版本体２０の橋軸方向の両端部に、各端部から床版厚み方向へ円弧状に形成されたループ状継手５ｃを予め突設したループ状継手付きプレキャストコンクリート床版（以下、ループ状継手付きプレキャスト床版、又は単にプレキャスト床版或いは単に床版ともいう）２が知られている（例えば、特許文献１）。
前記のループ状継手付きプレキャスト床版２は、橋軸直角方向に横長の床版であり、このようなループ状継手付きプレキャスト床版２を橋軸方向に並行な隣り合う桁１（図１０参照）上に亘って適宜モルタルを介在させて設置される。
【０００３】
前記のような床版相互の連結構造としては、図１５及び図１６に示すように、橋軸直角方向から見て、橋軸方向に突出する互いのループ状継手５ｃを、間隔をおいて配置又は重ね合わせように配置して（いずれも橋軸直角方向に位置をずらしている）、各ループ状継手鉄筋の直角方向から、ループ状内に、補強鉄筋９を挿入配置し、床版間の間詰め部（連結部１４）にコンクリートからなる硬化性材料４を打設し、間隔をおいて隣り合うプレキャストコンクリート床版２相互を一体に接続する構造である（例えば、前記特許文献１参照）。
【先行技術文献】
【特許文献】
【０００４】
【特許文献１】特開２００５−８３０７２号公報
【発明の概要】
【発明が解決しようとする課題】
【０００５】
図１５に示すように、橋軸方向に隣り合うループ状継手付きプレキャスト床版２を接続する場合に、橋軸直角方向の補強鉄筋９をループ状継手５ｃ内に上から落とし込むことができないため、互いのループ状継手５ｃにより形成されるループ状空間内等に、橋軸直角方向の一端部側から橋軸直角方向の他端側に亘り補強鉄筋９を配置するようになる。この橋軸直角方向の補強鉄筋９を配置する形態として、図１０〜図１２に示す第１例の長尺鉄筋２２を配置する形態と、図１３〜図１４に示すように短尺鉄筋２３を配置する形態の２形態がある。
前記の各鉄筋に用いられる鋼材は、リブ（節）付鉄筋又は（異形）棒鋼である。
【０００６】
図１０〜図１２に示す第１例の形態の場合には、床版２の路肩側端部又は、中央分離体側端部から、ほぼ橋軸直角方向の床版の長さと同じ長さの長い長尺鉄筋２２を、クレーンや、高所作業車や長尺鉄筋の吊治具等を用いて、連結部１４におけるループ状空間内に挿入している。
この場合に、図１０及び図１１に示すように、床版２の側方に、桁１に取り付けられた支持部材２４に立設又は保持された支柱２５に亘って防音壁等の障害物２６が設置されている場合には、これらの障害物２６が挿入作業の邪魔になるために、同図に点線で示すように一時的に、防音壁等の障害物２６を撤去した状態で、同図に矢印で示すように、クレーン等から繰り出された吊金具等により支持した状態で吊り上げると共に矢印で示すように橋軸直角方向に搬送し、プレキャスト床版上の作業員がさらに橋軸直角方向に送るように配設することで、前記の長尺鉄筋２２の配設作業を行っていた。
また、図示を省略するが、前記の支柱２５の外側に安全ネットが設けられている場合には、長尺鉄筋の挿入作業の障害物となるために、作業員が、挿入作業の障害となる部分の安全ネットを部分的にめくり上げて、挿入作業空間を床版側方に確保した状態で、別の作業員が、前記長尺鉄筋２２の挿入作業を行っていた。
【０００７】
また、前記のように、防音壁等の障害物２６を撤去できない場合には、図１３及び図１４に示すように、床版２の中間部に、ループ状鉄筋２１の断面径を小さくしたループ状鉄筋２１を橋軸直角方向に間隔をおいて複数本（図示の場合には、７本）埋め込み配置することで、これらに間隔をおいて隣接する太径のループ状鉄筋２１との間で、太径のループ状鉄筋によるループ状継手５ｃの内径上端レベルと、小径のループ状鉄筋によるループ状継手５ｃの外径上端レベルとの間で、レベル差を設けることで、挿入空間を確保し、かつ床版２の橋軸直角方向の長さ寸法よりも短い寸法の２本又は複数本の短尺鉄筋２３をそれぞれ右方向（図示の場合）と、左方向（図示を省略）とにそれぞれ配置している（適宜２本複数本の短尺鉄筋２３を橋軸方向に接近移動して、橋軸直角方向に直列に隣り合う短尺鉄筋２３の端部を接近させて配置している）。
前記の場合、挿入する短尺鉄筋２３が曲げられて短尺鉄筋２３のリブがループ状継手５に当たって抵抗し、人力での挿入作業が困難となる可能性があり、この場合には、図１３及び図１４に矢印で示すように、挿入する短尺鉄筋２３を大ハンマーなどで打撃しながらの挿入作業となり、短尺鉄筋２３の破損や、打撃による騒音が発生するという問題がある。
【０００８】
また、従来、図１８（ａ）（ｂ）に示すように、プレキャスト床版２から橋軸方向に張り出す上部継ぎ手鉄筋５ａと下部継ぎ手鉄筋５ｂとを上下に間隔をおいて配置すると共に橋軸直角方向に間隔をおいて多数備えたプレキャスト床版２において、プレキャスト床版における橋軸方向の端面であって、前記上部継ぎ手鉄筋５ａの張り出し基端側の床版端面６と、下部継ぎ手鉄筋５ｂの張り出し基端部の床版端面６とが同じ傾斜面の端面とされている形態のプレキャスト床版２とした技術がある（例えば、特許文献２参照）。
【０００９】
図１８に示す形態のプレキャスト床版では、上部継ぎ手鉄筋５ａ及び下部継ぎ手鉄筋５ｂは、継ぎ手鉄筋の先端部に、圧着グリップ（エンドバンド）３が設けられた圧着グリップ付き継ぎ手鉄筋（又はエンドバンド付き継ぎ手鉄筋）５とされ、上部継ぎ手鉄筋５ａと、下部継ぎ手鉄筋５ｂとの間は、橋軸方向側端部Ｋが開放されている形態であるので、橋軸方向から橋軸直角方向に延長する補強鉄筋９を配置することができる利点があるものの、従来の場合は、プレキャスト床版を架設したのち、前記のような補強鉄筋の配置方法を採用していたので、プレキャスト床版の架設施工工期が長くなると共に施工コストが高くなるという問題があった。
また、前記の場合には、上部継ぎ手鉄筋５ａと下部継ぎ手鉄筋５ｂの基端側の橋軸方向の端面が、同じ傾斜面であるので、上部継ぎ手鉄筋５ａの下側であって下部継ぎ手鉄筋５ｂの上側との間に、橋軸直角方向の複数の補強鉄筋９を仮保持させるように配置した場合、橋軸方向に隣り合うプレキャスト床版を順次配置すると、後行して架設するプレキャスト床版２における下部継ぎ手鉄筋５ｂの先端部が、先行して架設されたプレキャスト床版２に配置した補強鉄筋９に干渉するため、プレキャスト床版２を、橋軸直角方向に間隔をおいて隣り合う桁間に渡って橋軸方向に架設することが困難になるという問題がある。
【００１０】
また、図１７に示す形態のプレキャスト床版の場合には、図８及び図９に示すように、ループ状継ぎ手５ｃが間詰め部コンクリートを支承するための張り出し支承部７に衝突して、張り出し支承部７が損傷する場合があるという問題があると共に、プレキャスト製床版２を橋軸方向にスライド移動させる場合に、桁１上に設置したソールスポンジからなる緩衝層８がよれて損傷する恐れがあるという問題があった。
本発明は、前記従来の課題を解消することができ、防音壁等の障害物を撤去したり、安全ネットを持ち上げたりすることなく、プレキャスト床版の架設の施工工期を短くすることができ、施工コストを安価にすることが可能なプレキャスト床版及びその架設方法を提供することを目的とする。
【課題を解決するための手段】
【００１１】
前記の課題を有利に解決するために、第１発明の橋軸直角方向の補強鉄筋仮置き収容溝付きのプレキャスト床版においては、プレキャスト床版本体から橋軸方向に張り出す上部継ぎ手鉄筋と下部継ぎ手鉄筋とを上下に間隔をおいて配置すると共に橋軸直角方向に間隔をおいて多数備えたプレキャスト床版において、前記上部継ぎ手鉄筋における張り出し側の基端部における床版本体の橋軸方向端部の上部床版端面が、下部継ぎ手鉄筋における張り出し側基端部における床版本体の橋軸方向端部の下部床版端面よりも、橋軸方向の中央部寄りに変位するように設けられて、前記上部床版端面と下部床版端面との間に橋軸直角方向に連続する段部が設けられ、前記各多数の上部継ぎ手鉄筋の基端部と、プレキャスト床版における橋軸方向の前記段部とにより、橋軸直角方向に連続する補強鉄筋用の仮置き収容溝が形成されていること特徴とする。
第２発明では、第１発明の橋軸直角方向の補強鉄筋仮置き収容溝付きのプレキャスト床版において、前記段部は、前記の上部継ぎ手鉄筋の基端側下面に間隔をおいて対向するように、傾斜した上面又は平坦な上面を備えた段部とされ、前記の傾斜した上面又は平坦な上面における一端側が、前記の下部床版端面に接続し、前記の傾斜した上面又は平坦な上面における他端側が、前記の上部床版端面に接続していることを特徴とする。
第３発明の橋軸直角方向の補強鉄筋を仮保持したプレキャスト床版においては、第１発明又は第２発明の橋軸直角方向の補強鉄筋仮置き収容溝付きのプレキャスト床版における仮置き収容溝に、橋軸直角方向の１本又は複数本の補強鉄筋が配置されて、前記の上部継ぎ手鉄筋に設けられた仮吊具により仮保持されていることを特徴とする。
第４発明のプレキャスト床版の架設方法では、第３発明の橋軸直角方向の補強鉄筋を仮保持したプレキャスト床版を、橋軸直角方向に間隔をおいた桁間に渡って配置すると共に、橋軸方向に隣り合う一方の前記プレキャスト床版に仮保持した橋軸直角方向の１本又は複数本の補強鉄筋を、上部継ぎ手鉄筋側又は下部継ぎ手鉄筋側の何れか一方の側に展開して補強鉄筋と継ぎ手鉄筋を結束し、他方の前記プレキャスト床版に仮保持した橋軸直角方向の１本又は複数本の補強鉄筋を、上部継ぎ手鉄筋側又は下部継ぎ手鉄筋側の何れか他方の側に展開して補強鉄筋と継ぎ手鉄筋を結束することを特徴とする。
【発明の効果】
【００１２】
第１発明によると、第１発明の橋軸直角方向の補強鉄筋仮置き収容溝付きのプレキャスト床版においては、プレキャスト床版本体から橋軸方向に張り出す上部継ぎ手鉄筋と下部継ぎ手鉄筋とを上下に間隔をおいて配置すると共に橋軸直角方向に間隔をおいて多数備えたプレキャスト床版において、前記上部継ぎ手鉄筋における張り出し側の基端部における床版本体の橋軸方向端部の上部床版端面が、下部継ぎ手鉄筋における張り出し側基端部における床版本体の橋軸方向端部の下部床版端面よりも、橋軸方向の中央部寄りに変位するように設けられて、前記上部床版端面と下部床版端面との間に橋軸直角方向に連続する段部が設けられ、前記各多数の上部継ぎ手鉄筋の基端部と、プレキャスト床版における橋軸方向の前記段部とにより、橋軸直角方向に連続する補強鉄筋用の仮置き収容溝が形成されているので、補強鉄筋用の仮置き収容溝に補強鉄筋を配置して仮保持した状態で、プレキャスト床版を架設するべき桁間に渡って順次、橋軸方向に架設しても、先行した架設されたプレキャスト床版の補強鉄筋に、後行して架設されるプレキャスト床版における継ぎ手鉄筋先端部が、橋軸直角方向の補強鉄筋に干渉することがないので、プレキャスト床版の架設を補強鉄筋と共に搬送することができ、プレキャスト床版の搬送と共にこれに付属させて補強鉄筋の搬送が同時に可能になり、また、補強鉄筋をプレキャスト床版に付属させているため、補強鉄筋の搬送時の取り扱い性が向上し、補強鉄筋を含めたプレキャスト床版を容易に短工期で架設することができ、施工コストを格段に安価にすることができる等の効果が得られる。
第２発明では、第１発明の橋軸直角方向の補強鉄筋仮置き収容溝付きのプレキャスト床版において、前記段部は、前記の上部継ぎ手鉄筋の基端側下面に間隔をおいて対向するように、傾斜した上面又は平坦な上面を備えた段部とされ、前記の傾斜した上面又は平坦な上面における一端側が、前記の下部床版端面に接続し、前記の傾斜した上面又は平坦な上面における他端側が、前記の上部床版端面に接続しているので、第２発明によると、上部継ぎ手鉄筋の下側における床版端部上に、傾斜した上面又は平坦な上面に補強鉄筋を配置して、下部継ぎ手鉄筋基端側の床版端部から、補強鉄筋を突出させないようにして、プレキャスト床版に配置して搬送設置することができる等の効果が得られる。
第３発明の橋軸直角方向の補強鉄筋を仮保持したプレキャスト床版においては、第１発明又は第２発明の橋軸直角方向の補強鉄筋仮置き収容溝付きのプレキャスト床版における仮置き収容溝に、橋軸直角方向の１本又は複数の補強鉄筋が配置されて、前記の上部継ぎ手鉄筋に設けられた仮吊具により仮保持されているので、補強鉄筋を多数の上部継ぎ手鉄筋により容易に支持させることができる等の効果が得られる。
第４発明のプレキャスト床版の架設方法では、第３発明の橋軸直角方向の補強鉄筋を仮保持したプレキャスト床版を、橋軸直角方向に間隔をおいた桁間に渡って架設すると共に橋軸方向に間隔をおいて干渉することなく容易に架設することができ、また、橋軸方向に隣り合う一方の前記プレキャスト床版に仮保持した橋軸直角方向の１本又は複数の補強鉄筋を、上部継ぎ手鉄筋側又は下部継ぎ手鉄筋側の何れか一方の側に展開して継ぎ手鉄筋相互を結束し、他方の前記プレキャスト床版に仮保持した橋軸直角方向の１本又は複数本の継ぎ手鉄筋を、上部継ぎ手鉄筋側又は下部継ぎ手鉄筋側の何れか他方の側に展開して継ぎ手鉄筋相互を結束するので、橋軸方向に隣り合う一方及び他方のプレキャスト床版からそれぞれ、補強鉄筋を上部継ぎ手鉄筋側及び下部継ぎ手鉄筋側に容易に配置して、橋軸方向に隣り合うプレキャスト床版の継ぎ手鉄筋と補強鉄筋を容易に結束することができ、プレキャスト床版の架設が容易で短工期に施工することができ、施工コストの安価なプレキャスト床版の架設方法とすることができる等の効果が得られる。
【図面の簡単な説明】
【００１３】
【図１】本発明の一実施形態の橋軸直角方向の継ぎ手鉄筋仮置き収容溝付のプレキャスト床版を示すものであって、（ａ）は平面図、（ｂ）は正面図である。
【図２】図１（ａ）のａ−ａ線断面図である。
【図３】（ａ）は、橋軸直角方向の継ぎ手鉄筋を仮保持したプレキャスト床版を示す平面図、（ｂ）は（ａ）の正面図である。
【図４】図３（ｂ）の一部を拡大して示す正面図である。
【図５】（ａ）は橋軸直角方向の継ぎ手鉄筋を仮保持したプレキャスト床版を、橋軸直角方向に隣り合う桁間に渡って配置すると共に橋軸方向に継ぎ手鉄筋が重なり代を有するように配置した状態を示す正面図、（ｂ）は（ａ）の状態から複数の橋軸直角方向の補強鉄筋を橋軸方向に間隔をおいて、上部継ぎ手鉄筋側と下部継ぎ手鉄筋側に、それぞれ展開して配置した状態を示す正面図である。
【図６】図５（ｂ）の平面図で、隣り合うプレキャスト床版の継ぎ手に渡って橋軸直角方向に延長するように補強鉄筋を配筋した状態を示す平面図である。
【図７】図６に示す状態から、橋軸方向に隣り合う床版の目地部にコンクリート又は無収縮モルタルを充填した状態を示す平面図である。
【図８】従来のループ状継手付きプレキャストコンクリート床版を橋軸方向に直列に並べて設置する場合の説明図である。
【図９】図８に示す場合に、一方のループ状継手付きプレキャストコンクリート床版におけるループ継手が、他方のループ状継手付きプレキャストコンクリート床版における張り出し支承部に干渉して、前記の張り出し支承部を損傷している状態を示す縦断正面図である。
【図１０】橋軸方向に隣り合う床版間に橋軸直角方向の継ぎ手鉄筋を配置する場合の第１例を説明するための橋軸方向から見た一部縦断正面図である。
【図１１】図１０の一部を拡大して示す図である。
【図１２】橋軸方向に隣り合う床版間に橋軸直角方向の継ぎ手鉄筋を配置する場合の第１例を説明するための平面図である。
【図１３】従来のループ状継手を有する隣り合うＰＣａ床版相互の連結方法の第２例を説明するための橋軸方向から見た一部縦断正面図である。
【図１４】図１３に示す第２例の一部を拡大し、かつ正面から見た図である。
【図１５】床版相互の連結部に橋軸直角方向の鉄筋を配置した従来の床版相互の連結構造を示す橋軸直角方向から見た縦断側面図である。
【図１６】図１５示す従来の床版相互の連結部にコンクリートを充填した常態を示す縦断側面図である。
【図１７】プレキャスト床版の一例を示すものであって、（ａ）は平面図、（ｂ）は縦断正面図である。
【図１８】プレキャスト床版の他の例を示すものであって、（ａ）は平面図、（ｂ）は（ａ）のｂ―ｂ断面図である。
【図１９】本発明のプレキャスト床版の連結構造とした場合と、従来のプレキャスト床版の連結構造とした場合の目地間隔の相違を示すための説明図である。
【発明を実施するための形態】
【００１４】
次に、本発明を図示の実施形態に基づいて詳細に説明する。
【００１５】
図１及び図２には、本発明の一実施形態の橋軸直角方向の継ぎ手鉄筋仮置き収容溝付のプレキャスト床版２が示され、図１（ａ）は平面図、図１（ｂ）は正面図、図２は、図１（ａ）のａ−ａ線断面図である。
【００１６】
所定の長さ寸法の鉄筋の両端部に鋼製筒状体３が嵌合されると共に、鉄筋に押し潰し変形されて圧着固定された圧着グリップ（エンドバンド）１０が形成され、圧着グリップ付き継手鉄筋（エンドバンド付き継ぎ手鉄筋）からなる上部継ぎ手鉄筋５ａ及び下部継ぎ手鉄筋５ｂが構成されている。
【００１７】
前記の圧着グリップ付き継手鉄筋からなる上部継ぎ手鉄筋５ａ及び下部継ぎ手鉄筋５ｂは、鉄筋に加熱成形等の熱間加工を必要としないので、市販の安価な鉄筋を使用でき、また、鋼製筒状体３も市販の安価な部材を使用することができ、鋼製筒状体３の長さの自由度もある。また、鉄筋の端部を徐々に拡大する拡径端部を有する特注の鉄筋を使用する場合に比べて、本発明において使用する圧着グリップ付き継手鉄筋からなる上部継ぎ手鉄筋５ａ及び下部継ぎ手鉄筋５ｂは、市販の各種の鉄筋および鋼製筒状体を利用でき、製造の自由度が格段に高く、製造も容易である。
前記のような圧着グリップ付き継手鉄筋からなる上部継ぎ手鉄筋５ａ及び下部継ぎ手鉄筋５ｂが、床版鉄筋の一部として上部および下部の所定の位置に、かつ圧着グリップ１０が橋軸方向の両端部に位置するように配置され、前記鉄筋の中間部を埋め込むようにコンクリートが打設硬化されて、圧着グリップ式継手付きプレキャストコンクリート床版２が構成されている。
【００１８】
そして、本発明の圧着グリップ式継手付きプレキャストコンクリート床版２では、前記の圧着グリップ付き継手鉄筋からなる上部継ぎ手鉄筋５ａ及び下部継ぎ手鉄筋５ｂを、プレキャスト鉄筋コンクリート製床版又はこれにプレストレスが導入されているプレキャスト鉄筋コンクリート製の床版の継ぎ手鉄筋に適用している。
そして、前記上部継ぎ手鉄筋５ａにおける張り出し側の基端側における縦側面からなる橋軸方向端部の上部床版端面１１が、下部継ぎ手鉄筋５ｂにおける張り出し側基端部における床版本体の橋軸方向端部の縦側面からなる下部床版端面１２よりも、橋軸方向の中央部寄りに変位するように設けられて、前記上部継ぎ手鉄筋５ａにおける基端側であって、前記上部床版端面１１と下部床版端面１２との間に橋軸直角方向に連続する傾斜面又は平坦面６を備えた段部１３が設けられ、前記各多数の上部継ぎ手鉄筋５ａによる上部継ぎ手鉄筋郡の基端部と、プレキャスト床版２における橋軸方向の前記傾斜面又は平坦面６を含む段部１３とにより、橋軸直角方向の継ぎ手鉄筋用の仮置き収容溝１５が、橋軸直角方向に連続して延長するように形成されたプレキャスト床版２とされている。
【００１９】
そして、本発明のプレキャスト床版２においては、図３に示すように、橋軸方向の各上部継ぎ手鉄筋５ａの下側における前記の仮置き収容溝１５に、図３に示すように、補強鉄筋９が橋軸直角方向に延長するように１本又は複数本配置されて、鋼線或は番線等の仮保持具１６により、上部継ぎ手鉄筋５ａの基端側に吊り下げるように仮保持されて配置されている。
図示形態では、鋼線からなる仮保持具１６が各補強鉄筋９全体の下側の前後から抱き込むように配置されて、上部継ぎ手鉄筋５ａ上で、鋼線の両端部が互いに巻回するようにねじることで、上部継ぎ手鉄筋５ａに、各補強鉄筋９が確実に固定されている。
【００２０】
前記のように、補強鉄筋９が仮保持された状態で、プレキャスト鉄筋コンクリート製床版２が、適宜搬送されて、桁間に渡って配置されると共に、橋軸方向に直列に設置され、橋軸方向に隣り合うプレキャスト床版２の端部に所定の間詰め部１４の間隙を保って、設置される。
その後、橋軸方向に隣り合うプレキャスト床版２間に渡って、型枠（図示を省略）を配設して、前記仮保持具１６を撤去すると共に、図５（ｂ）及び図６に示すように、橋軸方向一方及び他方の各補強鉄筋９を、上部継ぎ手鉄筋５ａの下側又は下部継ぎ手鉄筋５ｂの上側にそれぞれ配置して、補強鉄筋９と上部継ぎ手鉄筋５ａ又は下部継ぎ手鉄筋５ｂに、番線等により固定する。
【００２１】
そして、図７に示すように、間詰め部１４に、コンクリート（又は無収縮モルタル等の硬化性材料４を充填すると共に、適宜、桁１に固定されたスタッドジベルを埋め込むように各プレキャスト床版２の凹部に硬化性材料が充填されることで、橋軸方向に隣り合うプレキャスト床版２相互の一体化、及び桁１との一体化が行われる。
【００２２】
前記上部床版端面と下部床版端面との間は、橋軸直角方向に連続する傾斜面でも、平坦面でもよく、上部継ぎ手鉄筋５ａの基端部とプレキャスト床版２の橋軸方向の端部に、橋軸直角方向に連続した仮置き収容溝１５が設けられていればよく、概略断面形態としては、ほぼ矩形状等の仮置き収容溝１５が形成されている。
【００２３】
図示の実施形態では、前記の傾斜した上面又は平坦な上面における下部レベル側の一端側が、前記の下部床版端面１２に接続し、前記の傾斜した上面又は平坦な上面における上部レベル側の他端側が、前記の上部床版端面に接続していることで、橋軸方向端部のプレキャスト床版の端面の形態が簡単な断面形状とすることができ、また、プレキャスト床版における下部継ぎ手鉄筋５ｂ下側の厚み寸法も厚くすることができ、剛性を向上させることができる。
【００２４】
前記実施形態では、橋軸直角方向の継ぎ手鉄筋仮置き収容溝付きのプレキャスト床版２における仮置き収容溝１５に、複数の橋軸直角方向の補強鉄筋９が配置されて、前記の上部継ぎ手鉄筋５ａに設けられた鋼線からなる仮保持１６により上部継ぎ手鉄筋５ａに吊り下げるように仮保持する形態を示したが、本発明を実施する場合、床版側の傾斜面又は平坦面６と、上部継ぎ手鉄筋５ａと、仮保持１６とが共同して、補強鉄筋９を仮保持するようにしてもよい。
【００２５】
次に、本発明のプレキャスト床版の架設方法について説明すると、図３に示すような橋軸直角方向の継ぎ手鉄筋を仮保持したプレキャスト床版２を、適宜、クレーン等により吊り上げるか、既に連結された既設のプレキャスト床版２上を走行する簡易クレーンにより吊り上げて、橋軸直角方向に間隔をおいて並行する複数の桁１間に渡って架設配置すると共に、橋軸方向に隣り合う一方の前記プレキャスト床版２に仮保持した橋軸直角方向の複数の補強鉄筋９を、橋軸方向に所定の間隔をおくように、上部継ぎ手鉄筋５ａ側又は下部継ぎ手鉄筋５ｂ側の何れか一方の側に展開して継ぎ手鉄筋と補強鉄筋９を結束し、他方の前記プレキャスト床版２に仮保持した橋軸直角方向の複数の補強鉄筋９を、橋軸方向に所定の間隔をおくように、上部継ぎ手鉄筋５ａ側又は下部継ぎ手鉄筋５ｂ側の何れか他方の側に展開して上部継ぎ手鉄筋５ａ又は下部継ぎ手鉄筋５ｂと補強鉄筋９相互を番線等により結束又は溶接等により固定するようにして、橋軸方向に直列に、プレキャスト床版２を順次架設し、橋軸方向に隣り合う床版間に渡って適宜型枠を配設して、間詰め部１４にコンクリート（又は無収縮モルタル）からなる硬化性材料４を充填・固化して、橋軸方向に隣り合うプレキャスト床版２の連結一体化を図る。
【００２６】
なお、図１９の上下に示すように、本発明に用いるエンドバンド付きの継ぎ手鉄筋５（５ａ，５ｂ）を備えたプレキャスト床版２の場合は、これを製作する場合のプレキャスト床版の巾を、工場生産ラインの幅＋接合幅（≦輸送可能幅）とすることができ、この床版幅Ｌで割り付けが行えるため、ループ継ぎ手５を有するプレキャスト床版２の床版幅Ｌ２の場合より、床版枚数を低減することができ、床版架設の所要工程を短縮することができる。
【００２７】
本発明を実施する場合、プレキャスト床版２としては、橋軸方向の一端側の板厚方向の上下部に、継ぎ手を備えている形態の床版でもよい。
また、本発明を実施する場合に、複数の補強鉄筋９を同時に取り扱つかって上部継ぎ手鉄筋５ａ又は下部継ぎ手鉄筋５ｂに支持させる場合に、複数の補強鉄筋９を鋼線等により仮結束した状態で、仮保持具１６により上部継ぎ手鉄筋５ａ又は下部継ぎ手鉄筋５ｂに支持させるようにしてもよい。この場合には、鋼線等による仮結束と仮保持具１６を撤去したのち、補強鉄筋９を橋軸方向に展開するようにすればよい。
仮置き収容溝１５に配置する補強鉄筋９の本数としては、１本又は、２本又は４本等の複数本であってもよく、また、一方の仮置き収容溝１５に配置する補強鉄筋９の本数と、他方の仮置き収容溝１５に配置する補強鉄筋９の本数とが、異なる本数であってもよい。
なお、図中、符号１８は、床版２の下側に桁に対応する位置に設けられる凸部である。
【符号の説明】
【００２８】
１  桁
２  プレキャスト床版（プレキャストコンクリート床版）
３  鋼製筒状体
４  硬化性材料（コンクリート）
５ａ  上部継ぎ手鉄筋
５ｂ  下部継ぎ手鉄筋
５ｃ  ループ状継手
６  端面（傾斜面、又は平坦面）
７  張り出し支承部
８  緩衝層
９  補強鉄筋
１０  圧着グリップ（エンドバンド）
１１  上部床版端面
１２  下部床版端面
１３  段部
１４  床版間の間詰め部（連結部）
１５  仮置き収容溝
１６  仮保持具
１８  凸部
２０  プレキャストコンクリート床版本体
２１  ループ状鉄筋又はループ帯状鋼板
２２  長尺鉄筋
２３  短尺鉄筋
２４  支持部材
２５  支柱
２６  障害物
【図１】
0005337122.tif 000002
【図２】
0005337122.tif 000003
【図３】
0005337122.tif 000004
【図４】
0005337122.tif 000005
【図５】
0005337122.tif 000006
【図６】
0005337122.tif 000007
【図７】
0005337122.tif 000008
【図８】
0005337122.tif 000009
【図９】
0005337122.tif 000010
【図１０】
0005337122.tif 000011
【図１１】
0005337122.tif 000012
【図１２】
0005337122.tif 000013
【図１３】
0005337122.tif 000014
【図１４】
0005337122.tif 000015
【図１５】
0005337122.tif 000016
【図１６】
0005337122.tif 000017
【図１７】
0005337122.tif 000018
【図１８】
0005337122.tif 000019
【図１９】
0005337122.tif 000020